(57)【要約】【課題】二番処理の経路に装備した処理装置で脱粒難の未処理物を効果的に単粒化させ、損傷粒の発生を抑制する適量の還元物を供給するようにした二番処理制御装置の提供である。【解決手段】コンバインの脱穀処理量を検出してチャフシーブ１のフィン角度を変化させる選別制御手段に対して、還元物を検出するセンサーＳ１を前記チャフシーブ１上に設けて、還元量を調節する二番制御手段を併設し、前記センサーＳ１が傾倒する検出範囲を中立ゾーン６と、閉ゾーン７更に、後方側に開ゾーン８を分割形成してフィン角度を開閉させる二番制御手段を設け、これを解除できる選択スイッチ１０を装備した二番処理制御装置にしたものである。【選択図】なし【特許請求の範囲】
【請求項１】
選別部に設けた揺動選別体を形成するチャフシーブのフィン角度を処理量に応じて開閉させる自動調節装置を装備したコンバインにおいて、処理量を検出してチャフシーブ（１）のフィン角度を変化させる選別制御手段に対して、二番回収域（３１）に延設した前記チャフシーブ（１）上に還元量を検出するセンサー（Ｓ１）を設け、フィン角度を変化させる二番制御手段を併設したことを特徴とするコンバインの二番処理制御装置。
【請求項２】
未処理物を揺動選別体（２７）に還元する二番処理の経路に処理装置（Ｄ）を設け、フィン角度を変化させる二番制御手段によって前記処理装置（Ｄ）に供給する還元物を適量に調整したことを特徴とする請求項１に記載したコンバインの二番処理制御装置。
【請求項３】
フィン（２）の傾斜角度を選別制御手段と二番制御手段の２系統で行い、還元量を検出する前記二番制御手段を解除できる切替え装置を設けたことを特徴とする請求項１に記載したコンバインの二番処理制御装置。
【発明の詳細な説明】
【０００１】
【発明の属する技術分野】
本発明は、二番処理装置に回収する還元量を調整するためにチャフシーブのフィン角度を開閉し、二番処理の経路に装備した処理装置に適量の還元物を供給するようにした二番処理制御装置に関するものである。
【０００２】
【従来の技術】従来から脱穀処理量に応じてチャフシーブのフィン角度を変化させる種々の技術があるが、枝梗が付着する作物等の高速作業では、処理量の増加に比べて回収率が低下するので揺動選別装置の後方に処理物が移行し、機外に排出され損失穀粒となる。このような還元穀粒の層流を抑制した調節機構が特開平０６−０３０６４７号公報や、特開平０８−３７９０７号公報に記載されているが、未処理物が処理されずに選別部内を循環し続ける等の問題点がある。又、これを解消する手段として二番処理の経路に処理装置を装備して単粒化を促進させたものが特開平０７−１６３２３２号公報に開示してあるが、供給する還元物の増減にともなって脱粒率が変動したり、作物の品種や水分によって損傷粒が発生して品質の低下を招き処理効果の妨げになる。本発明はこのような問題を改善するために、適量の還元物を処理装置に供給して未処理物の相互干渉を誘発させ、処理効果を向上させる二番制御手段を装備するとともに、処理の難易度によって前記二番制御手段の要否を判断し、その作動を停止できる切替え装置を設けた二番処理制御装置にしたものである。
【０００３】
【発明が解決しようとする課題】
二番処理の経路に装備した処理装置で脱粒が難しい未処理物を効果的に単粒化し、損傷粒の発生を抑制する適量の還元物を供給するようにした二番処理制御装置の提供を目的とする。
【０００４】
【課題を解決するための手段】
脱穀処理量に応じてチャフシーブのフィン角度を変化させる選別制御手段に、還元物を検出して適量に保持する二番制御手段を併設し、二番処理の経路に処理装置を装備して脱粒効果を向上させたものである。
【０００５】
処理量を検出してチャフシーブのフィン角度を変化させる選別制御手段に対して、二番回収域に延設した前記チャフシーブ上に還元量を検出するセンサーを設け、フィン角度を変化させる二番制御手段を併設し、２系統の調節機構でフィンの傾斜角度を変化させる手段を講じた。
【０００６】
未処理物を揺動選別体に還元する二番処理の経路に処理装置を設け、フィン角度を変化させる二番制御手段によって前記処理装置に供給する還元物を適量に調整し、処理効果を高める手段を講じた。
【０００７】
フィンの傾斜角度を選別制御手段と二番制御手段の２系統で行い、還元量を検出する前記二番制御手段を解除できる切替え装置を設け、前記二番制御手段を適応作物に応じて選択可能にする手段を講じた。
【０００８】
【発明実施の形態】
【実施例】
本発明による装置に関して実施例図に従い説明すると、図４は脱穀部を断面したコンバインの側面図であって、左右一対のクローラ走行装置１３に支持された機台１５上に脱穀部Ｂを搭載し、前方に昇降自在の刈取部Ａを装着して刈高さ調節を行ないながら刈刃１７で植立穀稈を切断し、継設した揚上搬送装置で前記脱穀部Ｂに張設したフィードチェン１６の始端部に受継ぎ、供給口１８から扱歯２０を植設した扱胴２１に搬送穀稈を供給して脱粒処理を行い、脱粒後の排稈を機体の終端まで斜設した排藁チェン２２でカッター２３に供給し、細断するコンバインの穀稈搬送経路にしてある。
【０００９】
脱穀した扱卸物の選別経路は、扱室２５で脱粒した穀粒と未処理物が受け網２６から漏下して扱卸物となり、前後に揺動運動をする揺動選別体２７上に落下して篩選別を受けながら連設したチャフシーブ１の始端側に送穀され、単粒化した穀粒を分離して一番回収域３０に集穀する経路と、一方枝梗付着粒と少量の単粒が混在する還元物を後方に配置した二番回収域３１に落下させて回収する経路に分別してあり、藁屑等の塵埃は選別部Ｃの前方に設けたファン３２の選別風によって矢印イ方向に吹き飛ばし、機体の後方に設けた吸引ファン３３で機外に排出する選別経路にしたものである。尚３５は、穀稈を挟持搬送するフィードチェン１６に押圧した挟扼台である。
【００１０】
図２は、脱穀部を断面した正面図であって、図４の側面図を併用して二番処理の経路を説明すると、選別部Ｃで分離した良穀粒は、一番コンベア３６で機外に取り出し機台１５の右側に並設したグレンタンク３７に一時貯留するが、枝梗付着粒の多くは未処理物となって二番コンベア３８で集穀され、機体外側板４０に斜設した二番揚穀筒４１の下方と連結し、その上方には扱胴２１に対して直交する処理装置Ｄを装備し、還元物に混入する枝梗付着粒等を処理して揺動選別体２７上の矢印ロ方向に放出する二番処理装置にしたものである。
【００１１】
図９は処理装置の斜視図であって、図１０の断面図を併用して二番処理の経路に装備した処理装置の構造概要を説明すると、二番コンベア３８から受継いだ還元物を搬送する二番揚穀筒４１の上方に扱胴２１と直交する処理胴４２を設け、適量の還元物を受給して未処理物を単粒化する処理装置Ｄである。駆動構造は、揚穀コンベア２８の上方から入力して伝達する方向をべベルケース２９で直角方向に変換し、処理歯４４を植設した処理胴４２を回転させる脱粒処理を行い、後方に設けた跳出し羽根３９で開放した処理胴ケース３４の終端から矢印ロの方向に放出し、揺動選別体２７上に分散還元させた二番処理装置にしたものである。
【００１２】
二番処理の経路に設けた処理装置Ｄで還元物を効率良く処理するためには、供給する還元量を穀粒の略３０％として適度の塵埃を混在させることが、処理胴４２内で生じる未処理物の相互干渉を誘発して単粒化が促進される。このような処理効果を行うために、還元物を適量供給するセンサーＳ１を二番回収域３１の上方に延設したチャフシーブ１上に吊設し、還元物の層厚さを検出してフィン角度を調節する二番制御手段にしたものである。又、前記揺動選別体２７に落粒しなかった未処理物は扱室２５の後方に開口した送塵口７６から並設する平行処理胴７５に受継ぎ、単粒化した穀粒をチャフシーブ１の後方で回収して還元物に合流させるとともに、発生した塵埃を排塵口７２から機外に放出する排塵経路にしたものである。
【００１３】
次に、図１に示す選別部の断面図で角度変化をするチャフシーブの構造を説明すると、排藁チエン２２の下側に挟扼レール４３を対設して排稈通路を形成し、始端側と終端側寄りに圧縮スプリング４５を設けて、前記挟扼レール４３を上方に向け弾圧して通過する排稈量の変動により支軸４７が矢印ヘの方向に下動し、センサ−Ｓ２が層厚さを検出する選別制御手段にしてある。受動する構成は、前記支軸４７の下端に設けたロール４８が回動軸４６を中心に回動するアーム５０に常時接当し、トルクバネ（図示省略）により上方に附勢され前記挟扼レ−ル４３の上下動に追従し回動する構成にしたものである。
【００１４】
図７は、調節機構を拡大した側面図であって、図８の断面図を併用してフィン角度の調節構造を説明すると、チャフシ−ブ１はフィン２を並設して構成され、上端軸５１を支点にして下端軸５２が連動部材５３で連結されて前後移動をするので、一斉に各フィン２の傾斜角度（以下フィン角度とする）が矢印リの方向に変化して間隔を広狭にする調節装置にしてある。これを構成する調節機構５５は、基盤５６を前記フィン２の前方に配置し、揺動選別体２７の側面に突出する上端軸５１に嵌着させ、上端を揺動側板に締結ボルト６６で固着して前記揺動選別体２７と一体化させ、上端軸５１を回動支点にし下端軸５２に嵌着させた調節板６１を設け、後ワイヤー６０の伸縮で前記下端軸５２が煽動して、フィン角度を矢印リの方向に変化させる選別制御手段にしてある。一方の自動調節板６１を前記上端軸５１に固着して前ワイヤー５８の伸縮で直接フィン角度を矢印ルの方向に変化させる二番制御手段を設け、フィン角度の変化を２系統で行う調節機構５５にしたものである。
【００１５】
このような選別制御手段でフィン角度を変化させた実施状態から、上端軸５１を直接回動させてフィン２の角度変更を行う二番制御手段が後から作用し、先行して検出した調節板６１のフィン角度に対して、自動調節板５７が還元物の層厚さによって傾斜角度を変化させ、連動する前記調節板６１が検出したフィン角度に上乗せしたフィン角度を形成し、回収する還元量が調整されて適量を保持する二番処理制御装置にしたものである。
【００１６】
フィン２の傾斜角度を変化させる２系統の作動構造は、センサーＳ１を用いた二番制御手段の検出結果をコントローラ６２を介して駆動モータＭに出力し、前ワイヤ−５８を伸縮させて基盤５６に対し自動調節板５７と、これに連設した調節板６１の双方を矢印ルの方向に煽動させフィン２の角度変更を行う。一方のセンサ−Ｓ２を用いた選別制御手段は、挟扼レール４３の降下でアーム５０が煽動する先端に後ワイヤ−６０を連結させ、伸縮作用によってフィン角度が矢印リの方向に変化するリンク構造にしたものである。
【００１７】
このような選別制御手段において、排稈量「多」を検出すると、基盤５６から突出する上端軸５１と下端軸５２に嵌着した調節板６１が前記上端軸５１を支点にし、後ワイヤー６０で引下げられ、前記下端軸５２が連動降下してフィン角度が急になり間隔が広くなる。一方、排稈量「少」を検出するときは逆にフィン２の間隔が狭くなる構成にしてある。又、上端軸５１の軸端の固着した自動調節板５７はバネ６８で基盤５６に弾持してあり、同軸に回動自在に嵌挿させた調節板６１は引張りバネ７０で前述する自動調節板５７の下方から同様に弾持して、前記自動調節板６７と調節板６１が格別に煽動し、双方が連携した配置を保持する構成にしてある。このような連携した配置は、後続して作用する前ワイヤー５８の伸縮で自動調節板５７が矢印ル方向に煽動し、調節板６１の変動値に後続する傾斜角を上乗してフィン２の傾斜角度を形成したものである。
【００１８】
図５は、検出センサーの要部拡大図であって、図１を併用して還元量を検出する二番制御手段の構造と作用を説明すると、二番回収域３１の上方に延設したチャフシーブ１上にセンサー軸７３を設け、検出板６３を吊設した下端をフィン２上に接近させ、還元物の層厚さを矢印トの方向に傾斜する角度変化で検出し、この変位量をコントローラ６２が読取り駆動モータＭに所定の正逆回転を出力し、前ワイヤ−５８が伸縮することでフィン角度が変化する二番制御手段である。尚、コントローラ６２には傾斜角度の上限値Ｘと下限値Ｙを記憶させてあり、前記駆動モータＭの回転範囲を規制した制御装置にしたものである。
【００１９】
センサーＳ１の構造は、逆Ｖ字型の検出板６３の長辺部６５を垂直にし、矢印チの楕円運動をするチャフシーブ１に接近した位置を下限値Ｙにして作動の起点にするとともに、短辺部８２の下端を前記長辺部６５よりも短く形成することによって、先行移動する長辺部６５の傾斜がフィン２の上面から離反するにしたがい、後続する前記短辺部８２が逆に接近するようになり、層厚さを検出する範囲の拡大と検出精度を高めた構成にしてあり、続いて還元物がチャフシーブ１の後方に搬送され検出板６３に到達すると、前記長辺部６５が下限値Ｙから上限値Ｘまでの矢印ト方向の移動を検出範囲にしたものである。尚、前記長辺部６５の傾倒角度によって出力を転換する切替え接点ａ、ｂ位置を設け、これに対して後続移動をする短辺部８２の位置をａ‘、ｂ’で図示してある。
【００２０】
このような移動区間で変化する傾倒角度を３段階に検出して駆動モータＭに正転と逆転を出力するコントローラ６２を介在させ、検出する区分を検出板６３の下限値Ｙ〜ａ位置の間を閉ゾーン７にし、フィン角度を先行して検出した調節板６１に対して、矢印ルの方向に所定時間の変位量ｈだけ閉じるようにしてあるが、ａ位置に移動しない場合は再度の変位量ｈの変化を断続して実施し、駆動モータＭが停止する中立ゾーン６即ち、ａ〜ｂ位置の間に移動するまで繰返し、前記中立ゾーン６に到達すればフィン角度を一定に保持するようになる。続いて還元量が増加した場合は、ｂ位置〜上限値Ｘ間の開ゾーン８に前記検出板６３が移動して駆動モータＭが逆回転することによって、調節板６１に対して自動調節板６１を前ワイヤー５８で降下させ、フィン角度を矢印ルの方向に変位量ｈだけ断続的に変化させフィン角度が開き、回収する穀粒を増加させる自動制御装置にしてある。尚、各ゾーンに通電するロータスイッチ８０は、ａ、ｂ位置の接点を通過して切替わり、同一ゾーンを移動する場合は接続し続けるスイッチの構成にしたものである。
【００２１】
このような２系統にした選別制御手段と二番制御手段のセンサーＳ２、Ｓ１でチャフシーブ１のフィン角度を調節する構成において、前記二番制御手段を停止させる選択スイッチ１０を設け、センサーＳ２が単独で排稈量を検出する選別制御手段のみで収穫作業を行うモード切替えをする構成を図１に示してある。これは作物の品種によって、脱粒と処理が行い易い条件では二番還元量を適量に維持する必要がなくなり、１番回収域３０に穀粒を多く回収させて、作業速度を速めることを可能にするものである。
【００２２】
図３は脱穀部の要部を断面した平面図であって、二番処理の経路に処理装置Ｄを装備するとともに、揺動選別体２７のチャフシーブ１の後方に設けたセンサーＳ１によって、前記処理装置Ｄに適量の還元物を供給させる二番制御手段を装備したものである。このような還元物の検出を可能にした脱穀部Ｂの形態は、排塵口７２が前記センサーＳ１の装着位置よりも後方に開口する平行処理胴７５付にし、放出する排塵が検出板６３やセンサー軸７３等に引掛からずに誤作動等が防止され、より正確に還元量を検出できる脱穀形態を示したものである。
【００２３】
図６は、自動制御のフローチャートであって作動の手順を説明すると、フィン角度の変化を排稈量で検出する選別制御手段と還元量を検出して処理装置Ｄに適量を供給する二番制御手段の２系統にしてあり、選別制御手段で行ったフィン角度値をベースにした二番制御手段を説明すると、先ずＳ１００において二番制御手段のモードに選択スイッチ１０で切替え、Ｓ１０１では選別制御手段で実施したフィン角度をベース値にして作動を開始させるものであって、所定時間の変位量ｈの設定をＳ１０２でコントローラ６２に記憶させてＳ１０３に移行し、作業開始前の検出値が検出板６３の下限値Ｙであって、接点ａ位置間の閉ゾーン７であることをＳ１０４でコントローラ６２が読み取り、駆動モータＭに出力してＳ１０５においてフィン角度を閉方向に変位量ｈを断続して実施し、先行して検出したフィン角度のまま傾斜角度が変化して、フィン２の間隔が狭くなって穀粒の漏下が抑制され還元物がセンサーＳ１に到達するようになる。続いて検出板６３がＳ１０６で傾倒してａ〜ｂ間の中立ゾーン６に移動し、前記駆動モータＭを停止させて還元物の適量供給を維持するものである。
【００２４】
しかし、駆動モータＭが逆回転する場合はＳ１０７であって、還元量が急増して検出板６３の変位量がｂ〜Ｘ間の開ゾーン８に移動したことで、Ｓ１０８において駆動モータＭが逆回転し、前述した変位量ｈの開方向にフィン角度が変化するＳ１０９に移行し、フィン角度が開き回収が促進されて層厚さの増大が解消する中立ゾーン７に誘導するものである。このようなフィン角度の変化は、選別制御手段のＳ１３５に示すフィン角度のベース値に対し、上乗せをした角度が増減して還元量を一定に維持する二番制御手段にしてある。
【００２５】
【発明の効果】
揺動選別体を形成するチャフシーブのフィン角度を処理量に応じて開閉させる選別制御手段を装備したコンバインにおいて、二番処理の経路に回収する還元物を検出してフィン角度を調節する二番制御手段を併設したので下記の効果を発揮するものです。
【００２６】
処理量を検出してチャフシーブのフィン角度を変化させる選別制御手段に対して、二番回収域に延設した前記チャフシーブ上に還元量を検出するセンサーを設け、フィン角度を変化させる二番制御手段を併設したので、２系統の調節構造でフィンの傾斜角度が変化し、作業能率が増減しても還元量が適量に確保され、処理効果の向上と損失穀粒を防止することができた。
【００２７】
未処理物を揺動選別体に還元する二番処理の経路に処理装置を設け、フィン角度を変化させる二番制御手段によって供給する還元物を適量に調整したので、処理胴内で相互の穀粒干渉が促進され、枝梗付着粒等の除去効果が向上した。
【００２８】
フィンの傾斜角度を選別制御手段と二番制御手段の２系統で行い、還元量を検出する前記二番制御手段を解除する切替え装置を設け、二番制御手段のモードを選択スイッチで切替えたので、脱粒の容易な収穫作業では二番制御手段を停止させてフィン角度が開き、一番回収域に穀粒を多く回収して高能率の作業を行えるようになった。
【図面の簡単な説明】
【図１】選別部を断面した側面図である。
【図２】脱穀部を断面した正面図である。
【図３】要部を開放した脱穀部の平面図である。
【図４】要部を断面したコンバインの側面図である。
【図５】検出センサーの要部拡大図である。
【図６】フィン角度を自動制御するフローチャートである。
【図７】調節機構を拡大した側面図である。
【図８】調節機構の要部断面図である。
【図９】処理装置の斜視図である。
【図１０】処理装置の断面図である。
【符号の説明】
Ｂ・・脱穀部　　　　　Ｃ・・選別部　　　　　Ｄ・・処理装置
Ｍ・・駆動モータ　　Ｓ１・・還元用センサー　Ｓ２・・排稈用センサー
Ｙ・・センサー下限値　Ｘ・・センサー上限値　　ｈ・・変位量
ａ、ｂ・・ロータスイッチの接点　　　　　　　　　１・・チャフシーブ
２・・フィン　　　　　６・・中立ゾーン　　　　７・・閉ゾーン
８・・開ゾーン　　　１０・・選択スイッチ　　２２・・排藁チェン
２７・・揺動選別体　　３０・・一番回収域　　　３１・・二番回収域
３８・・二番コンベア　４０・・機体外側板　　　４１・・二番揚穀筒
４２・・処理胴　　　　４３・・挟扼レール　　　４５・・圧縮スプリング
４６・・回動軸　　　　４７・・支軸　　　　　　４８・・ロール
５０・・アーム　　　　５１・・上端軸　　　　　５２・・下端軸
５３・・連動部材　　　５５・・調節機構　　　　５６・・基盤
５７・・自動調節板　　５８・・前ワイヤー　　　６０・・後ワイヤー
６１・・調節板　　　　６２・・コントローラ　　６３・・検出板
６５・・長辺部　　　　６８・・バネ　　　　　　７０・・引張バネ
７２・・排塵口　　　　７３・・センサー軸　　　８０・・ロータスイッチ
８１・・ハーネス　　　８２・・短辺部
矢印イ・・選別風の方向　　　　　　矢印ロ・・還元物の放出方向
矢印ニ・・排塵の放出方向　　　　　矢印ヘ・・支軸のローラが降下する方向
矢印ト・・検出板が傾倒する方向　　矢印リ・・フィン角度が変位する方向
矢印ル・・自動調節板が変化する方向
【図１】
2004016141.tif 000002
【図２】
2004016141.tif 000003
【図３】
2004016141.tif 000004
【図４】
2004016141.tif 000005
【図５】
2004016141.tif 000006
【図６】
2004016141.tif 000007
【図７】
2004016141.tif 000008
【図８】
2004016141.tif 000009
【図９】
2004016141.tif 000010
【図１０】
2004016141.tif 000011